【手続補正書】
【提出日】平成26年1月21日(2014.1.21)
【手続補正１】
【補正対象書類名】特許請求の範囲
【補正対象項目名】全文
【補正方法】変更
【補正の内容】
【特許請求の範囲】
【請求項１】
ノイズ抑制方法であって、
第１の音響信号、第２の音響信号、及び第３の音響信号を含む３又はそれ以上の音響信号をオーディオ装置において受信するステップと、
前記第３の音響信号及び前記第１の音響信号と、前記第３の音響信号及び前記第２の音響信号とを含む少なくとも１つの対からマイクロフォン間レベル差モジュールを介してマイクロフォン間レベル差情報を決定するステップと、
前記マイクロフォン間レベル差情報に少なくとも部分的に基づくノイズ成分をノイズキャンセルモジュールを介して前記第１の音響信号から減じることを含む前記第１の音響信号に対するノイズキャンセルを実行するステップと
を有するノイズ抑制方法。
【請求項２】
ポストフィルタモジュールを介して前記第１の音響信号の前記ノイズキャンセルを適応させるステップを更に有し、
前記ノイズキャンセルの適応は、前記マイクロフォン間レベル差情報に少なくとも部分的に基づき制御される、
請求項１に記載のノイズ抑制方法。
【請求項３】
カスケードにおいて構成されるノイズ減算ブロックによってノイズキャンセルを実行するステップを更に有し、
前記ノイズ減算ブロックは、前記３又はそれ以上の音響信号のいずれかを処理する、
請求項１に記載のノイズ抑制方法。
【請求項４】
最初のノイズ減算ブロックが音響信号のいずれかの対を受け、次のノイズ減算ブロックがいずれかの他の音響信号と、前のノイズ減算ブロックの出力とを受ける、
請求項３に記載のノイズ抑制方法。
【請求項５】
強調信号推定及びノイズリファレンスを用いてポストプロセッサを介してポストフィルタリングを実行するステップを更に有し、
前記強調信号推定は、
音響信号のいずれかの対に対して作用する第１のノイズ減算ブロックの出力、及び
あらゆるカスケード接続されたノイズキャンセル段を含む第２のノイズ減算ブロックの出力
のうちいずれか１つを含み、
前記ノイズリファレンスは、あらゆるカスケード接続されたノイズキャンセル段を含むノイズ減算ブロックの出力、又は前記音響信号の対に含まれていない音響信号のいずれかを含む、
請求項１に記載のノイズ抑制方法。
【請求項６】
クラスタトラッカモジュールへ、及び該クラスタトラッカモジュールを介してポストプロセッサへ前記マイクロフォン間レベル差情報を供給するステップを更に有する、
請求項１に記載のノイズ抑制方法。
【請求項７】
エネルギレベル推定により前記マクロフォン間レベル差モジュールを介して前記マイクロフォン間レベル差情報を生成するステップと、
クラスタトラッカモジュールへ、及び該クラスタトラッカモジュールを介してポストプロセッサへ前記マイクロフォン間レベル差情報を供給するステップと
を更に有する請求項１に記載のノイズ抑制方法。
【請求項８】
少なくとも１つの周波数解析モジュールを介してエネルギレベル推定を決定するステップと、
前記エネルギレベル推定により前記マイクロフォン間レベル差モジュールを介して前記マイクロフォン間レベル差情報を生成するステップと、
クラスタトラッカモジュールへ、及び該クラスタトラッカモジュールを介してポストプロセッサへ前記マイクロフォン間レベル差情報を供給するステップと
を更に有する請求項１に記載のノイズ抑制方法。
【請求項９】
ノイズ減算ブロックのいずれか１つの出力として、ノイズリファレンス信号を生成するステップと、
前記ノイズリファレンス信号といずれかのノイズ減算ブロックのスピーチリファレンス出力とに少なくとも基づきノイズ推定モジュールを介してノイズ推定を生成するステップと、
ポストプロセッサへ前記ノイズ推定を供給するステップと
を更に有し、
前記ノイズ減算ブロックの他の１つは、いずれかの音響信号と、前記ノイズ減算ブロックの中の前のノイズ減算ブロックのノイズ出力とを受け取る、
請求項１に記載のノイズ抑制方法。
【請求項１０】
前記マイクロフォン間レベル差は、クラスタトラッカモジュールによって正規化される、
請求項４に記載のノイズ抑制方法。
【請求項１１】
ノイズ抑制システムであって、
メモリにおいて記憶され、第１の音響信号、第２の音響信号、及び第３の音響信号を含む３又はそれ以上の音響信号を受信するようプロセッサによって実行される周波数解析モジュールと、
メモリにおいて記憶され、前記第３の音響信号及び前記第１の音響信号と、前記第３の音響信号及び前記第２の音響信号とを含む少なくとも１つの対からマイクロフォン間レベル差情報を決定するようプロセッサによって実行されるマイクロフォン間レベル差モジュールと、
メモリにおいて記憶され、前記マイクロフォン間レベル差情報に少なくとも部分的に基づくノイズ成分を前記第１の音響信号から減じることによって前記第１の音響信号に対してノイズキャンセルを実行するようプロセッサによって実行されるノイズキャンセルモジュールと
を有するノイズ抑制システム。
【請求項１２】
ポストフィルタモジュールが、前記第１の音響信号の前記ノイズキャンセルを適応させるよう実行され、前記ノイズキャンセルの適応は、前記マイクロフォン間レベル差情報に少なくとも部分的に基づき制御される、
請求項１１に記載のノイズ抑制システム。
【請求項１３】
更に、カスケード連通において構成されるノイズ減算ブロックによってノイズキャンセルを実行すること含み、
前記ノイズ減算ブロックは、前記３又はそれ以上の音響信号のいずれかを処理する、
請求項１１に記載のノイズ抑制システム。
【請求項１４】
最初のノイズ減算ブロックは、プロセッサによって実行される場合に、音響信号のいずれかの対を受け、次のノイズ減算ブロックは、プロセッサによって実行される場合に、いずれかの他の音響信号と、前のノイズ減算ブロックの出力とを受ける、
請求項１３に記載のノイズ抑制システム。
【請求項１５】
メモリにおいて記憶され、強調信号推定及びノイズリファレンスを用いてポストフィルタリングを実行するようプロセッサによって実行されるポストフィルタモジュールを更に有し、
前記強調信号推定は、
音響信号のいずれかの対に対して作用する第１のノイズ減算ブロックの出力、及び
あらゆるカスケード接続されたノイズキャンセル段を含む第２のノイズ減算ブロックの出力
のうちいずれか１つを含み、
前記ノイズリファレンスは、あらゆるカスケード接続されたノイズキャンセル段を含むノイズ減算ブロックの出力、又は前記音響信号の対に含まれていない音響信号のいずれかを含む、
請求項１１に記載のノイズ抑制システム。
【請求項１６】
前記マイクロフォン間レベル差情報は、クラスタトラッカモジュールへ、及び該クラスタトラッカモジュールを介してポストプロセッサへ供給される、
請求項１１に記載のノイズ抑制システム。
【請求項１７】
前記マイクロフォン間レベル差モジュールは、
エネルギレベル推定により当該マイクロフォン間レベル差モジュールを介して前記マイクロフォン間レベル差情報を生成し、
クラスタトラッカモジュールへ、及び該クラスタトラッカモジュールを介してポストプロセッサへ前記マイクロフォン間レベル差情報を供給する
ようプロセッサによって実行される、
請求項１１に記載のノイズ抑制システム。
【請求項１８】
少なくとも１つの周波数解析モジュールは、実行される場合に、エネルギレベル推定を決定し、
前記マイクロフォン間レベル差モジュールは、実行される場合に、前記エネルギレベル推定により前記マイクロフォン間レベル差情報を生成し、クラスタトラッカモジュールへ、及び該クラスタトラッカモジュールを介してポストプロセッサへ前記マイクロフォン間レベル差情報を供給する、
請求項１１に記載のノイズ抑制システム。
【請求項１９】
ノイズ減算ブロックは、実行される場合に、ノイズリファレンス信号を他のノイズ減算ブロックへ供給し、前記ノイズ減算ブロックは、いずれかの音響信号と前のノイズ減算ブロックのノイズ出力とを受け、
ノイズ推定モジュールは、実行される場合に、前記ノイズリファレンス信号と、前記他のノイズ減算ブロックからのスピーチリファレンス出力とに少なくとも基づきノイズ推定を生成する、
請求項１１に記載のノイズ抑制方法。
【請求項２０】
前記マイクロフォン間レベル差は、クラスタトラッカモジュールによって正規化される、
請求項１４に記載のノイズ抑制方法。
【請求項２１】
ノイズ抑制方法を実行するようプロセッサによって実行されるプログラムを坦持する、非一時的なコンピュータ可読記憶媒体であって、
前記ノイズ抑制方法は、
第１の音響信号、第２の音響信号、及び第３の音響信号を含む３又はそれ以上の音響信号をオーディオ装置において受信するステップと、
前記第３の音響信号及び前記第１の音響信号と、前記第３の音響信号及び前記第２の音響信号とを含む少なくとも１つの対からマイクロフォン間レベル差情報を決定するステップと、
前記マイクロフォン間レベル差情報に少なくとも部分的に基づくノイズ成分を前記第１の音響信号から減じることを含む前記第１の音響信号に対するノイズキャンセルを実行するステップと
を有する、
非一時的なコンピュータ可読記憶媒体。
【請求項２２】
前記第１の音響信号の前記ノイズキャンセルを適応させるステップを更に有し、
前記ノイズキャンセルの適応は、前記マイクロフォン間レベル差情報に少なくとも部分的に基づき制御される、
請求項２１に記載の非一時的なコンピュータ可読記憶媒体。
【請求項２３】
カスケードにおいて構成されるノイズ減算ブロックによってノイズキャンセルを実行するステップを更に有し、
前記ノイズ減算ブロックは、前記３又はそれ以上の音響信号のいずれかを処理する、
請求項２１に記載の非一時的なコンピュータ可読記憶媒体。
【請求項２４】
最初のノイズ減算ブロックが音響信号のいずれかの対を受け、次のノイズ減算ブロックがいずれかの他の音響信号と、前のノイズ減算ブロックの出力とを受ける、
請求項２３に記載の非一時的なコンピュータ可読記憶媒体。
【請求項２５】
強調信号推定及びノイズリファレンスを用いてポストフィルタリングを実行するステップを更に有し、
前記強調信号推定は、
音響信号のいずれかの対に対して作用する第１のノイズ減算ブロックの出力、及び
あらゆるカスケード接続されたノイズキャンセル段を含む第２のノイズ減算ブロックの出力
のうちいずれか１つを含み、
前記ノイズリファレンスは、あらゆるカスケード接続されたノイズキャンセル段を含むノイズ減算ブロックの出力、又は前記音響信号の対に含まれていない音響信号のいずれかを含む、
請求項２１に記載の非一時的なコンピュータ可読記憶媒体。
【請求項２６】
クラスタトラッカモジュールへ、及び該クラスタトラッカモジュールを介してポストプロセッサへ前記マイクロフォン間レベル差情報を供給するステップを更に有する、
請求項２１に記載の非一時的なコンピュータ可読記憶媒体。
【請求項２７】
エネルギレベル推定によりマクロフォン間レベル差モジュールを介して前記マイクロフォン間レベル差情報を生成するステップと、
クラスタトラッカモジュールへ、及び該クラスタトラッカモジュールを介してポストプロセッサへ前記マイクロフォン間レベル差情報を供給するステップと
を更に有する請求項２１に記載の非一時的なコンピュータ可読記憶媒体。
【請求項２８】
少なくとも１つの周波数解析モジュールを介してエネルギレベル推定を決定するステップと、
前記エネルギレベル推定によりマイクロフォン間レベル差モジュールを介して前記マイクロフォン間レベル差情報を生成するステップと、
クラスタトラッカモジュールへ、及び該クラスタトラッカモジュールを介してポストプロセッサへ前記マイクロフォン間レベル差情報を供給するステップと
を更に有する請求項２１に記載の非一時的なコンピュータ可読記憶媒体。
【請求項２９】
ノイズ減算ブロックのいずれか１つの出力として、ノイズリファレンス信号を生成するステップと、
前記ノイズリファレンス信号といずれかのノイズ減算ブロックのスピーチリファレンス出力とに少なくとも基づきノイズ推定モジュールを介してノイズ推定を生成するステップと、
ポストプロセッサへ前記ノイズ推定を供給するステップと
を更に有し、
前記ノイズ減算ブロックの他の１つは、いずれかの音響信号と、前記ノイズ減算ブロックの中の前のノイズ減算ブロックのノイズ出力とを受け取る、
請求項２１に記載の非一時的なコンピュータ可読記憶媒体。
【請求項３０】
前記マイクロフォン間レベル差は、クラスタトラッカモジュールによって正規化される、
請求項２４に記載の非一時的なコンピュータ可読記憶媒体。